(57)【特許請求の範囲】
【請求項１】
水回路及びエアー回路と、これら水回路及びエアー回路に連通しこれら水回路及びエアー回路からの水又はエアー又はこれら水とエアーとの混合流を放出する単一の放出路と、前記水回路及びエアー回路に設けられた流量調整弁と、これら流量調整弁の開閉度を調整し、前記放出路から放出される水又はエアー又は水とエアーの混合流を調節するようにした歯科用シリンジにおいて、前記水回路及びエアー回路の各々に設けられた開閉弁を有し、これら開閉弁を操作する開閉弁操作片が、該シリンジの使用に当って該シリンジを握った時に、それぞれ握った人差し指及び中指が当る位置に設けられていることを特徴とする歯科用シリンジ。
【請求項２】
前記開閉弁操作片は、シリンジの径方向に移動する押圧操作片又は周方向或いは軸方向に移動するスライド操作片であることを特徴とする請求項１に記載の歯科用シリンジ。
【請求項３】
前記流量調整弁の開閉度を調整する流量調整操作片は、該シリンジの使用に当って該シリンジを握った時に、親指で操作できる位置或いは握る位置を少し前方に移動して操作できる位置に設けられていることを特徴とする請求項１又は２に記載の歯科用シリンジ。
【請求項４】
前記流量調整操作片は、水又はエアーを調整する１つの操作片又は水とエアーを別々に調整する２つの操作片であることを特徴とする請求項３に記載の歯科用シリンジ。
【発明の詳細な説明】
【技術分野】
【０００１】
本発明は、歯科治療において、患者の口腔内に水又はエアー又は水とエアーの混合流であるスプレーを噴射して患者の口腔内を清掃する歯科用シリンジに関し、特に、使用時、シリンジを手に持って（握って）操作する時に、従来技術に比して、操作者に負担をかけることなく、流量調整を容易に行えるようにした歯科用シリンジに関する。
【背景技術】
【０００２】
図３は、従来の歯科用シリンジの一例を説明するための要部外観図で、図中、１０はシリンジで、該シリンジ１０本体内には、周知のように、水回路及びエアー回路が設けられており、それぞれの回路には流量調整弁が設けられている。１１は該水回路中に設けられている水量調整弁の開閉度を調整する水量調整操作片、１２はエアー回路中に設けられているエアー量調整弁の開閉度を調整するエアー量調整操作片、１３はこれら水回路及びエアー回路に連通している噴射管で、周知のように、例えば、操作片１１を押すことによって、これら水回路及びエアー回路に連通している噴射管１３の先端から、水が放出され、或いは、操作片１２を押すことによってエアーが噴射され、更には、これら操作片１１と１２を同時に押すことによって、水とエアーの混合体であるスプレーが噴射され、その噴射量は、これら操作片１１，１２を押すストロークの調整によって行っている。
【発明の開示】
【発明が解決しようとする課題】
【０００３】
上述のように、従来の３Ｗａｙシリンジは、水操作片１１とエアー操作片１２を有し、これらの操作片１１，１２を親指で押すことにより、各々の流体が噴射され、その流量の調整は、それぞれの操作片１１，１２の押し込み量を調整することによって行っていた。
【０００４】
しかし、上記従来の構成のシリンジによると、操作片１１，１２の押し込み量は、これら操作片１１，１２を、親指で押し込んでいる体勢となり、体勢的に親指を動かす筋肉に負担がかかり、長時間の使用には向いていなかった。
【０００５】
本発明は、上述のごとき実情に鑑みてなされたもので、特に、歯科用の３Ｗａｙシリンジにおいて、作業者の手にかかる負担を軽減し、作業性を向上させることを目的としてなされたものである。
【課題を解決するための手段】
【０００８】
請求項１の発明は、水回路及びエアー回路と、これら水回路及びエアー回路に連通しこれら水回路及びエアー回路からの水又はエアー又はこれら水とエアーとの混合流を放出する単一の放出路と、前記水回路及びエアー回路に設けられた流量調整弁と、これら流量調整弁の開閉度を調整し、前記放出路から放出される水又はエアー又は水とエアーの混合流を調節するようにした歯科用シリンジにおいて、前記水回路及びエアー回路の各々に設けられた開閉弁を有し、これら開閉弁を操作する開閉弁操作片が、該シリンジの使用に当って該シリンジを握った時に、それぞれ握った人差し指及び中指が当る位置に設けられていることを特徴としたものである。
【０００９】
請求項２の発明は、請求項１の発明において、前記開閉弁操作片は、シリンジの径方向に移動する押圧操作片又は周方向或いは軸方向に移動するスライド操作片であることを特徴としたものである。
【００１０】
請求項３の発明は、請求項１又は請求項２の発明において、前記流量調整弁の開閉度を調整する流量調整操作片は、該シリンジの使用に当って該シリンジを握った時に、親指で操作できる位置或いは握る位置を少し前方に移動して操作できる位置に設けられていることを特徴としたものである。
【００１１】
請求項４の発明は、請求項３の発明において、前記流量調整操作片は、水又はエアーを調整する１つの操作片又は水とエアーを別々に調整する２つの操作片であることを特徴としたものである。
【発明の効果】
【００１２】
本発明によると、シリンジ使用中の操作を、シリンジを握った時に、人差し指及び中指が当るシリンジ本体に、水及びエアーの流量調整用の操作片、又は、水及びエアーの流路開閉弁を配設し、これら水及びエアーの流量調整或いは開閉を、シリンジ本体を握った状態で、人差し指及び中指で操作可能としたので、シリンジの握り手の姿勢に負担がかからず、より自然に近い状態での操作（作業）が可能となり、作業の効率があがり、作業者の負担を軽減することができる。
【発明を実施するための最良の形態】
【００１３】
図１は、本発明が適用される歯科用シリンジの一例を説明するための要部外観図で、その内部構造は、従来の歯科用シリンジと同様、水回路及びエアー回路と、これら水回路及びエアー回路中に設けられた流量調整弁と、これら流量調整弁の下流側において、これら水回路及びエアー回路に連通する噴射管１３を有する。
【００１４】
而して、図１に示した歯科用シリンジは、前記水回路及びエアー回路中の流量調整弁を調整する操作片２１及び２２を、使用者が該シリンジ１０本体を握った時に、該操作者の人差し指及び中指が当る部分、具体的には、シリンジ本体１０の裏側から側方に至るまでの部分に設けられており、使用者は、該シリンジの使用に当り、該シリンジ１０本体を握るが、その時、これら操作片２１，２２を握った手の人差し指及び中指で操作することができる。
【００１５】
具体的には、人差し指で操作片２１を押して水回路を開き、更に押し込むことによってその流量を調整し、また、中指で操作片２２を押してエアー回路を開き、更に押し込むことによってそのエアーの流量を調整することができる。
【００１６】
上述のように、図１に示した歯科用シリンジによると、シリンジの使用に当って、シリンジを使用状態で握った時に、該握った手の人差し指及び中指の位置に水回路及びエアー回路の流量調整弁の操作片があるので、作業者は、ごく自然の状態でシリンジを使用することができ、作業者にかかる負担を軽減することができる。
【００１７】
なお、以上の説明において、操作片２１，２２をシリンジ本体１０の径方向に押し込むようにした例について説明したが、図示例に限定されるものではなく、例えば、これら操作片２１，２２をシリンジの軸方向に移動して流量調整弁の開閉度を調整するようにしても、或いは、シリンジの周方向に移動して流量調整弁の開度を調整するようにしてもよい。
【００１８】
以上には、単一の操作片によって流路の開閉と流量調整を行うようにした例、例えば、操作片２１によって水回路の開閉及び流量調整を、操作片２２によってエアー回路の開閉及び流量調整を行うようにした例について説明したが、操作片を押し込む形式の場合、流量調整は、握りの強さ（操作片を押し込む力の強さ）によって行われるため、使用中、必ずしも、シリンジをしっかりと握り締めることができず（強く握り締めると、流量が多くなってしまう）、安定性に問題がある。
【００１９】
図２は、本発明による歯科用シリンジの一実施例を説明するための要部概略構成図で、本発明においては、シリンジ１０本体内の水回路には該水回路を開閉する開閉弁と該水回路中を流れる水の量を調整する水流量調整弁とを直列に有し、同様に、エアー回路には該エアー回路を開閉する開閉弁と該エアー回路中を流れるエアーの量を調整するエアー流量調整弁とを直列に有し、水回路中の開閉弁を人差し指によって操作される操作片３３によって開閉し、エアー回路中の開閉弁を中指によって操作される操作片３４によって開閉するようにしている。
【００２０】
本実施例においては、水回路及びエアー回路中の流量調整弁の操作片３１，３２は、使用に当って、シリンジ１０本体を握った時に、握った手の親指が容易に届く範囲、好ましくは、シリンジ１０本体の上側で、シリンジ１０本体を握った状態で親指が届く範囲或いは握りを少し前方に移動して親指が届く範囲に設け、使用に当り、これら調整弁操作片３１，３２を予め親指にて調整して、最適の流量を設定し、その後、開閉操作片３３，３４を人差し指及び中指にて操作して、水及び／又はエアー回路を開閉する。このようにすると、シリンジ使用中、人差し指及び中指は単に開閉弁を開閉（オン，オフ）するだけでよいので、シリンジ使用中の作業が非常に楽になる。
【００２１】
なお、この場合においても、操作片３１−３４の移動は、シリンジ本体に対して径方向への移動でも、軸方向への移動でも、周方向への移動でもよい。また、図２に示した実施例において、調整弁は必ずしも水回路及びエアー回路の両方に設ける必要はなく、例えば、エアー回路にのみ設けるようにしてもよい。更に、前記実施例において、水回路用の操作片の位置とエアー回路用の操作片の位置を置き換えてもよい。更には、図２に示した実施例において、水量調整操作片３１及び／又はエアー流量調整操作弁３２は回転（ダイヤル）式にしてもよい。
【図面の簡単な説明】
【００２２】
【図１】本発明が適用される歯科用シリンジの一例を説明するための要部外観図である。
【図２】本発明による歯科用シリンジの一実施例を説明するための要部概略構成図である。
【図３】従来の歯科用シリンジの一例を説明するための要部外観図である。
【符号の説明】
【００２３】
１０…シリンジ本体、１１，２１，３１…水回路用流量調整操作片、１２，２２，３２…エアー回路用流量調整操作片、１３…噴射管、３３…水回路開閉弁操作片、３４…エアー回路開閉弁操作片。
【図１】
0004471892.tif 000002
【図２】
0004471892.tif 000003
【図３】
0004471892.tif 000004